(57)【特許請求の範囲】
【請求項１】
板状の蓋本体を備え、浴槽の上部に載せる風呂蓋であって、
前記蓋本体は、前記浴槽の上部に接触する端辺部分を有し、
前記蓋本体の一面側を覆うようにクッション材が設けられており、
前記端辺部分の一端部側における前記一面側に前記浴槽の上部に対する滑りを止める滑止め部が設けられており、
前記端辺部分の他端部側に、前記一端部側よりも大きい丸みを帯びた角部が形成されていることを特徴とする風呂蓋。
【請求項２】
前記滑止め部は、前記端辺部分の一端部から中央部にかけて設けられていることを特徴とする請求項１に記載の風呂蓋。
【請求項３】
板状の蓋本体を備え、浴槽の上部に載せる風呂蓋であって、
前記蓋本体は、前記浴槽の上部に接触する端辺部分を有し、
前記蓋本体の一面側を覆うようにクッション材が設けられており、
前記端辺部分の中央部における前記一面側に前記浴槽の上部に対する滑りを止める滑止め部が設けられており、
前記端辺部分の他端部側に、一端部側よりも大きい丸みを帯びた角部が形成されていることを特徴とする風呂蓋。
【発明の詳細な説明】
【技術分野】
【０００１】
本発明は、浴槽の上に載せる風呂蓋に関する。
【背景技術】
【０００２】
風呂蓋は、発泡樹脂等の断熱素材からなる芯材を有する蓋本体と、蓋本体の両面の縁部を覆って補強する被覆部とを備える。風呂蓋は、浴槽の上部に載せて開口を覆い、浴槽に溜めた湯を保温する。
【０００３】
例えば、特許文献１には、平面形状において、幅狭部分及び該幅狭部分から連続する幅広部分が形成された浴槽と、風呂蓋とを備える浴槽装置が開示されている。浴槽は、幅広部分の両側に段部を有し、該段部に形成された凹部に風呂蓋が嵌め合わされる。風呂蓋は、下辺部に逆Ｌ字状の切欠部を有し、該切欠部が前記凹部の端部に係止することによって、移動が制限されている。
【先行技術文献】
【特許文献】
【０００４】
【特許文献１】特開平１０−３３４０２号公報
【発明の概要】
【発明が解決しようとする課題】
【０００５】
しかしながら、特許文献１に記載の風呂蓋は、凹部に嵌め合わされて係止する特定の箇所での使用に限られるという問題点があった。また、風呂蓋は、凹部に嵌め合わされずに段部に載った状態で置かれた場合には、風呂蓋にユーザが着座したときに不意に移動してしまう。また、浴槽の段部に設けた凹部は、風呂蓋を該凹部に嵌め合わせて使用する以外に用途がなく、浴槽内を清掃し難くなるという問題点があった。
【０００６】
本発明は、斯かる事情に鑑みてなされたものであり、その目的とするところは、浴槽の上部に載せて移動させる際の利便性が良い風呂蓋を提供することにある。
【課題を解決するための手段】
【０００７】
本発明に係る風呂蓋は、板状の蓋本体を備え、浴槽の上部に載せる風呂蓋であって、前記蓋本体は、前記浴槽の上部に接触する端辺部分を有し、前記端辺部分の一部分に前記浴槽の上部に対する滑りを止める滑止め部が設けられていることを特徴とする。
【０００８】
本発明にあっては、浴槽の上部に接触する端辺部分を有し、端辺部分の一部分に浴槽の上部に対する滑りを止める滑止め部が設けられている。これにより、風呂蓋は、滑止め部を浴槽の上部に接触させた状態で滑り難く、滑止め部を浴槽の上部から離した状態で滑り易いので、浴槽の上部に載せて移動させる際の利便性が良い。
【発明の効果】
【０００９】
本発明によれば、風呂蓋は、滑止め部を浴槽の上部に接触させた状態で滑り難く、滑止め部を浴槽の上部から離した状態で滑り易いので、浴槽の上部に載せて移動させる際の利便性を良くすることができる。
【図面の簡単な説明】
【００１０】
【図１】実施形態１に係る風呂蓋および浴槽の全体を示す斜視図である。
【図２】実施形態１に係る風呂蓋の外観を示す斜視図である。
【図３】風呂蓋の平面図である。
【図４】図３のＡ−Ａ線による風呂蓋の断面図である。
【図５】風呂蓋の使用状態を示す模式図である。
【図６】実施形態２に係る風呂蓋の平面図である。
【図７】図６のＢ−Ｂ線による風呂蓋の断面図である。
【図８】変形例に係る風呂蓋の斜視図である。
【図９】別の変形例に係る風呂蓋の斜視図である。
【図１０】別の変形例に係る風呂蓋の端辺側から見た側面図である。
【発明を実施するための形態】
【００１１】
以下、本発明を好適な実施の形態をもとに図１から図１０を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
（実施形態１）
図１は本発明の実施形態１に係る風呂蓋１００および浴槽１１０の全体を示す斜視図である。風呂蓋１００は、浴槽１１０の上部に載せられ、図示しない他の風呂蓋とともに浴槽１１０に溜めた湯を保温する。風呂蓋１００は、湯の保温以外にユーザが着座したり、浴槽１１０内にユーザが浸かった状態などでテーブル代わりとしても使用される。浴槽１１０の上縁部分を形成するフランジ部１１２は、内周縁に１段下がった周状のフランジ段部１１４を有する。風呂蓋１００は、浴槽１１０のフランジ段部１１４に載せられる。風呂蓋１００は、洗い場に設けられたカウンター１１６とほぼ同じ高さにあり、浴槽１１０の長手方向の端部１１５に寄せて位置させた状態で、ユーザが風呂蓋１００およびカウンター１１６間を移乗して動作するのに適する。
【００１３】
図２は本発明の実施形態１に係る風呂蓋１００の外観を示す斜視図であり、図３は風呂蓋１００の平面図であり、図４は図３に示すＡ−Ａ線による風呂蓋１００の断面図である。風呂蓋１００は、矩形板状をなす蓋本体１を備え、蓋本体１の周縁部２で浴槽１１０のフランジ段部１１４に接触する。
【００１４】
蓋本体１は、芯材１１、表面材１２及び１３、並びにクッション材１４を有する。蓋本体１は、一方の長辺側両端の角部１ａが丸みを帯びた形状を有しており、他方の長辺側の直線部分が該一方の長辺側の直線部分よりも長い形状となっている。角部１ａの丸みは、長軸方向が蓋本体１の短手方向を向く楕円弧状に形成されており、浴槽１１０のフランジ段部１１４からフランジ部１１２へ立ち上がる傾斜面の端部１１５側の隅部分における楕円弧形状に添う。尚、角部１ａの丸みは、長軸方向が蓋本体１の長手方向を向く楕円弧状、または円弧状であっても良い。また、角部１ａの丸みが大きく一方の長辺側が略円弧状となっていても良い。
【００１５】
芯材１１は、発泡ポリスチレン等の発泡樹脂製であり、浴槽１１０に溜めた湯の保温性を高めるため適度な厚みを有する矩形板状をなす。表面材１２は、ガラス繊維に合成樹脂を含浸した繊維強化樹脂（ＦＲＰ）の薄板であり、芯材１１の厚み方向の一面側を覆う。表面材１３は、ガラス繊維に合成樹脂を含浸した繊維強化樹脂（ＦＲＰ）の薄板の表面に保護膜としてポリプロピレン製シートを貼り付けてあり、芯材１１の厚み方向の他面側を覆う。ポリプロピレン製シートは、例えば革シボ調の表面加工を施し、意匠性を高めてある。
【００１６】
クッション材１４は発泡ポリエチレン等の発泡樹脂製であり、芯材１１の一面側を覆うように設けられている。クッション材１４は、一方の長辺側において該一方の長辺に沿う隆起部１４ａを有する。また、クッション材１４は、両短辺の縁部において該両短辺に沿う隆起部１４ｂを有する。隆起部１４ａおよび１４ｂは連続している。クッション材１４は、隆起部１４ａを設けた長辺に対向する長辺の縁部においては、隆起部分を有しない。クッション材１４表面の隆起は、平面図で見て、全体としてＣ字状をなす。隆起部１４ａおよび１４ｂは、視覚的に着座の方向性を示すとともに、ユーザの座り心地を良くしている。尚、クッション材１４は、例えば革シボ調の表面加工を施し、意匠性を高めてある。
【００１７】
周縁部２は、風呂蓋１００の短辺２辺に沿う端辺部分２１、風呂蓋１００の長辺１辺に沿う側辺部分２２、該長辺に対向する長辺１辺に沿う側辺部分２３で構成される。端辺部分２１は、風呂蓋１００の短辺２辺に沿って延びる被覆部３１、および一方の端部に滑止め部４を有する。図２において、滑止め部４は斜線を用いて表した部分である（他の図においても同様に表す）。側辺部分２２および２３は、それぞれ風呂蓋１００の対応する長辺に沿って延びる被覆部３２および３３を有する。以下、端辺部分２１における被覆部３１について説明するが、側辺部分２２および２３における被覆部３２および３３については、滑止め部４が設けられていないほか、被覆部３１と同様に構成することができるので、記載の簡潔化のため説明を省略する。
【００１８】
図４を参照し、被覆部３１について説明する。被覆部３１は、縁被覆部３１ａおよび端面被覆部３１ｂを有する。端面被覆部３１ｂは、蓋本体１の厚み方向の幅を有して蓋本体１の短辺に沿って延びる板状をなし、蓋本体１の外周端面を覆う。
【００１９】
縁被覆部３１ａは、端面被覆部３１ｂにおける蓋本体１の厚み方向の両端から蓋本体１の内向きに屈曲し、蓋本体１の短辺に沿って延びる板状をなし、蓋本体１のクッション材１４および表面材１３の表面の縁部を覆う。図４に示す断面において、縁被覆部３１ａは、端面被覆部３１ｂに連なる基端部から先端部までの寸法が、表面材１３側よりもクッション材１４側で大きくしてある。縁被覆部３１ａおよび端面被覆部３１ｂは、例えばオレフィン系エラストマーで構成し、含有するポリプロピレンの量によって硬度を定める。例えば、表面に傷がつき難くするためには、硬度を高くすればよい。
【００２０】
滑止め部４は、端辺部分２１のクッション材１４側の縁被覆部３１ａにおいて、丸みを帯びた角部１ａが形成された側辺部分２２側と反対側の端部、即ち、側辺部分２３側の一端部の表面に設けられている（図２、図３参照）。滑止め部４は、端辺部分２１に沿って一部分に設けられており、滑止め部４がフランジ段部１１４に接触している状態で風呂蓋１００が滑り難く、滑止め部４がフランジ段部１１４から離れた状態で風呂蓋１００が滑り易くなる。
【００２１】
滑止め部４は、フランジ段部１１４に接触したときに、風呂蓋１００のフランジ段部１１４に対する滑りを止める。このため、滑止め部４は、例えば、縁被覆部３１ａの少なくとも表層部分の硬度を他の部分より低くするとよい。滑止め部４は、縁被覆部３１ａの硬度が側辺部分２３側の一端部で均等に低いものであってもよい。また、滑止め部４は、風呂蓋１００のフランジ段部１１４に対する滑りを止めるべく、縁被覆部３１ａの表面の面粗さを他の部分より大きくするとよい。
【００２２】
次に、風呂蓋１００の動作について説明する。図５は風呂蓋１００の使用状態を示す模式図である。尚、風呂蓋１００は、ユーザが着座して使用する場合、クッション材１４側を上にして浴槽１１０のフランジ段部１１４に載せる。
【００２３】
図５に示すように、風呂蓋１００をテーブルとして使用する場合、風呂蓋１００は、表面材１３側を上にして浴槽１１０のフランジ段部１１４に載せる。風呂蓋１００は、フランジ段部１１４に平らに載せた状態で、端辺部分２１における被覆部３１の縁被覆部３１ａの表面がフランジ段部１１４に接触する。風呂蓋１００は、端辺部分２１に設けた滑止め部４の表面がフランジ段部１１４に接触した状態となり、フランジ段部１１４の上で滑り難くなる。
【００２４】
一方、風呂蓋１００は、側辺部分２３側を手で持ち上げて傾けると、滑止め部４がフランジ段部１１４から離れ、フランジ段部１１４の上で滑り易くなる。入浴中のユーザがテーブルとして利用する際に、側辺部分２３側を手で持ち上げ、容易に手前に近づけたり、遠ざけたりすることが可能であり、風呂蓋１００の利便性が良くなる。
【００２５】
滑止め部４は、端辺部分２１のクッション材１４側の縁被覆部３１ａにおいて、丸みを帯びた角部１ａが形成された側辺部分２２側と反対側の端部の表面に設けられている。丸みを帯びた角部１ａが端部１１５側における浴槽１１０の形状に合わせた形状になっており、風呂蓋１００は、浴槽１１０の端部１１５に置いた状態から浴槽１１０の中央部に向けて移動させる際に、側辺部分２３側を持ち上げると滑りが良く移動させ易い。また、風呂蓋１００は、浴槽１１０の端部１１５に向けて移動させる際に、側辺部分２３側を持ち上げると滑りが良く移動させ易い。また、風呂蓋１００は、側辺部分２３側を持ち上げた際に、端辺部分２１の側辺部分２２側の端部における角部１ａでフランジ段部１１４に接触している。風呂蓋１００は、角部１ａが丸みを帯びているため、角部１ａのうち風呂蓋１００の長手方向における中央側でフランジ段部１１４に接触し、長手方向の両端側ではフランジ段部１１４に接触しないので、フランジ段部１１４との接触面積が小さくなる。風呂蓋１００は、角部１ａが丸みを帯びているため、角部１ａが丸みを帯びていない場合に比較して、フランジ段部１１４との接触面積が小さくなり、より滑りが良く移動させ易い。
【００２６】
次に、風呂蓋１００の特徴を説明する。
本発明の実施形態の風呂蓋１００は、板状の蓋本体１を備え、浴槽１１０の上部に載せられる。蓋本体１は、浴槽１１０の上部に接触する端辺部分２１を有する。風呂蓋１００は、端辺部分２１における被覆部３１の一部分に、浴槽１１０の上部に対する滑りを止める滑止め部４が設けられている。これにより、風呂蓋１００は、滑止め部４を浴槽１１０の上部に接触させた状態で滑り難く、滑止め部４を浴槽１１０の上部から離した状態で滑り易いので、浴槽１１０の上部に載せて移動させる際の利便性が良い。
【００２７】
また、風呂蓋１００は、滑止め部４が端辺部分２１の一端部側である側辺部分２３側に設けられており、端辺部分２１の他端部側である側辺部分２２側に丸みを帯びた角部１ａが形成されている。これにより、風呂蓋１００は、浴槽１１０の端部１１５での移動させる際に、側辺部分２３側を持ち上げると滑りが良く移動させ易い。
【００２８】
（実施形態２）
実施形態１では、風呂蓋１００は、一方の長辺側両端の角部１ａが丸みを帯びた形状を有していたが、このような角部１ａがない風呂蓋１００についても、滑止め部４を設けることで、風呂蓋の利便性を良くすることができる。図６は実施形態２に係る風呂蓋１００の平面図であり、図７は図６のＢ−Ｂ線による風呂蓋１００の断面図である。
【００２９】
実施形態２に係る風呂蓋１００は、丸みを帯びた角部１ａがない矩形板状の蓋本体１を備え、蓋本体１の周縁部２で浴槽１１０のフランジ段部１１４に接触する。実施形態２における蓋本体１は、芯材１１、表面材１２及び１３、並びに周縁部２を有しており、実施形態１におけるそれらの構成と同様である。また、実施形態２におけるクッション材１４は、端部から中央にかけて平坦な形状であるほか、材質等の構成は実施形態１と同様である。
【００３０】
滑止め部４は、端辺部分２１のクッション材１４側の縁被覆部３１ａにおいて、側辺部分２３側の一端部の表面に設けられている。滑止め部４は、端辺部分２１に沿って一部分に設けられており、滑止め部４がフランジ段部１１４に接触している状態で風呂蓋１００が滑り難く、滑止め部４がフランジ段部１１４から離れた状態で風呂蓋１００が滑り易くなる。
【００３１】
実施形態２に係る風呂蓋１００をテーブルとして使用する場合、風呂蓋１００は、表面材１３側を上にして浴槽１１０のフランジ段部１１４に載せる。風呂蓋１００は、フランジ段部１１４に平らに載せた状態で、端辺部分２１における被覆部３１の縁被覆部３１ａの表面がフランジ段部１１４に接触する。風呂蓋１００は、端辺部分２１に設けた滑止め部４の表面がフランジ段部１１４に接触した状態となり、フランジ段部１１４の上で滑り難くなる。
【００３２】
一方、風呂蓋１００は、側辺部分２３側を手で持ち上げて傾けると、滑止め部４がフランジ段部１１４から離れ、フランジ段部１１４の上で滑り易くなる。入浴中のユーザがテーブルとして利用する際に、側辺部分２３側を手で持ち上げ、容易に手前に近づけたり、遠ざけたりすることが可能であり、風呂蓋１００の利便性が向上する。
【００３３】
次に変形例について説明する。
図８は変形例に係る風呂蓋１００の斜視図である。本変形例に係る風呂蓋１００では、滑止め部４が端辺部分２１の側辺部分２３側の一端部から中央部にかけて設けられている。風呂蓋１００は、フランジ段部１１４に平らに載せた状態で、端辺部分２１に設けた滑止め部４の表面がフランジ段部１１４に接触した状態となり、フランジ段部１１４の上で滑り難くなる。
【００３４】
風呂蓋１００は、滑止め部４が端辺部分２１の側辺部分２３側の一端部から中央部にかけて設けてあるので、滑止め部４とフランジ段部１１４との接触面積が大きく、より滑り難い。一方、風呂蓋１００は、側辺部分２３側を手で持ち上げて傾けると、滑止め部４がフランジ段部１１４から離れ、フランジ段部１１４の上で滑り易くなり、風呂蓋１００の利便性が良くなる。
【００３５】
図９は別の変形例に係る風呂蓋１００の斜視図である。変形例に係る風呂蓋１００では、滑止め部４が端辺部分２１の中央部に設けられている。風呂蓋１００は、フランジ段部１１４に平らに載せた状態で、端辺部分２１に設けた滑止め部４の表面がフランジ段部１１４に接触した状態となり、フランジ段部１１４の上で滑り難くなる。
【００３６】
風呂蓋１００は、滑止め部４が端辺部分２１の中央部に設けてあるので、側辺部分２３側または側辺部分２２を手で持ち上げて傾けると、滑止め部４がフランジ段部１１４から離れ、フランジ段部１１４の上で滑り易くなり、風呂蓋１００の利便性がさらに良くなる。
【００３７】
図１０は別の変形例に係る風呂蓋１００の端辺側から見た側面図である。変形例に係る風呂蓋１００では、滑止め部４を端辺部分２１の中央部に設け、端辺部分２１の両端に対して中央部が蓋本体１の一面側に張り出すように形成されている。風呂蓋１００は、フランジ段部１１４に平らに載せた状態で、端辺部分２１に設けた滑止め部４の表面がフランジ段部１１４に接触した状態となり、フランジ段部１１４の上で滑り難くなる。
【００３８】
風呂蓋１００は、滑止め部４が端辺部分２１のうち蓋本体１の一面側に張り出す中央部に設けてあるので、側辺部分２３側または側辺部分２２を手で持ち上げて傾けると、滑止め部４がフランジ段部１１４から離れ、フランジ段部１１４の上で滑り易くなり、風呂蓋１００の利便性が向上する。
【００３９】
上述の実施の形態及び変形例では、滑止め部４は、被覆部３１の縁被覆部３１ａの硬度を低くする例、および縁被覆部３１ａの表面粗さを大きくする例を挙げたが、これに限られるものではない。例えば、滑り止め用のテープを被覆部３１の縁被覆部３１ａに接着剤で貼り付けても良いし、滑り止め用の薄板状のものを締結具で縁被覆部３１ａに固定してもよい。さらに、滑止め部４をクッション材１４側と反対側の縁被覆部３１ａに設けるようにしてもよい。また、風呂蓋１００の蓋本体１がクッション材１４を有していない場合であっても、蓋本体１の周縁部２における端辺部分２１に滑止め部４を設けることができる。
【００４０】
また、上述の実施の形態及び変形例では、本発明に係る風呂蓋１００を浴槽１１０のフランジ段部１１４に載せて使用する例を示したが、フランジ段部１１４が設けられていない浴槽１１０上部のフランジ部１１２に載せて使用することもできる。
【００４１】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４２】
１  蓋本体、  １ａ  角部、  ２１  端辺部分、  ４  滑止め部、
１００  風呂蓋、  １１０  浴槽。
【図１】
0006679326.tif 000002
【図２】
0006679326.tif 000003
【図３】
0006679326.tif 000004
【図４】
0006679326.tif 000005
【図５】
0006679326.tif 000006
【図６】
0006679326.tif 000007
【図７】
0006679326.tif 000008
【図８】
0006679326.tif 000009
【図９】
0006679326.tif 000010
【図１０】
0006679326.tif 000011